(57)【特許請求の範囲】
【請求項１】
乾し物を載置する一対の乾し物置き台と、上記一対の乾し物置き台のうちのいずれか一方が他方に対してリクライニングできるように構成され上記一対の乾し物置き台の間に配設される少なくとも２個のリクライニング機構と、一端部に上記リクライニング機構の枢支部の固定側部材が取付けられ他端部が被挟持部材を挟持するように二又状に構成され着脱可能に取付けられる二又状挟持部材とを備えたことを特徴とする、乾し物乾燥装置。
【請求項２】
上記リクライニング機構の上記枢支部の固定側部材に取付けられ下方に延設される上記二又状挟持部材に設けられた一対の二又状挟持部材片と、上記枢支部の固定側部材に取付けられる上記一対の乾し物置き台のうちのいずれか他方の被リクライニング乾し物置き台と、上記被リクライニング乾し物置き台に対して複数のリクライニング位置で保持できる上記一対のいずれか一方で形成されるリクライニング乾し物置き台とを備え、上記二又状挟持部材は、上記枢支部の固定側部材を上記一方の二又状挟持部材片と略平行に間隔を存して下方に曲げて延設させ、上記一方の二又状挟持部材片と協働して上記被挟持部材を挟持する上記二又状挟持部材の他方の二又状挟持部材片を有していることを特徴とする、請求項１記載の乾し物乾燥装置。
【請求項３】
上記他方の二又状挟持部材片の配設幅は上記被挟持部材の挟持幅に合わせて調整できるように構成したことを特徴とする、請求項１又は２記載の乾し物乾燥装置。
【請求項４】
上記乾し物置き台から上記乾し物の脱落及び乾し物乾燥装置の被挟持部材からの脱落のうちの少なくといずれか一方の脱落を防止する脱落防止手段をを備えたことを特徴とする、請求項１〜３のいずれか１項に記載の乾し物乾燥装置。
【発明の詳細な説明】
【０００１】
【発明の属する技術分野】
本発明は、ベランダの手摺や塀，垣根等の建造物のいずれかに取付けることができる、布団，毛布等の寝具や衣服を天日乾しするための乾し物乾燥装置に関する。
【０００２】
【従来の技術】
周知のように、布団，毛布の寝具等の乾し物を天日乾しする時には、野外の広いスペース等で、できるだけ大きく広げて日光がよく当たることが望まれている。しかしながら、都市などで広いスペースが確保し難いところでは、乾し物を二つ折して折り曲げた部分をベランダの手摺などに引っ掛けて天日に晒している。このような方法では、一度に全面を干すことができないため、先ず折り曲げた片方の面を陽射しに向けて乾し、時間を見計らって乾し物を反転してもう一方の面に陽に当てるようにしている。
【０００３】
【発明が解決しようとする課題】
しかしながら、上記のような乾し方であると、乾し物をそのまま乾しっ放しにできず、途中反転しなければならないという煩わしさがあった。又、時間的制約を受けたり、日照時間が短い場合には、乾し物の反転回数が増え、手数が掛かるとともに、労力も大となるという不具合があった。上記寝具等の、例えば布団の天日乾しをする場合には、これは特に解決しなければならない大きな課題であった。又、二つ折にした乾し物の内側の影の部分は通気性が悪く、乾燥し難いという不具合があり、折曲がった部分は痛み易く、特に布団などでは綿ズレが起き易くなるという不具合があった。
【０００４】
又、上記のように二つ折りにされた上記布団の表面が略垂直状態となるため、例えば上記ベランダの手摺の外側に配設される上記乾し物置き台に載置された上記布団に、最も日差しの強い南中時、前後の太陽光の照射はよいが、特に上記ベランダの手摺の内側である家屋側に水平に延びる上記乾し物置き台に載置された布団には、太陽の位置が高く、表面が略垂直状態となり、太陽光は家屋の軒先により遮断され上記家屋側へ日差しの差込が少なくなるため、最も日差しの強い南中時、前後の太陽光を上記布団の表面に直接照射させることができず、上記布団を短時間において十分に乾燥させることができない。又上記上記ベランダの幅の狭い手摺幅の程度の間隙では、上記布団の裏面側からの通気を十分に確保することはできない。
【０００５】
本願発明は、これらの課題に鑑み創案されたもので、乾し物を載置する一対の乾し物置き台と、上記一対の乾し物置き台のうちのいずれか一方が他方に対してリクライニングできるように構成され上記一対の乾し物置き台の間に配設される少なくとも２個のリクライニング機構を有し、一端部が上記リクライニング機構の枢支部の固定側部材に取付けられ他端部が被挟持部材を挟持するように二又状挟持部材片で構成され着脱可能に取付けられる二又状挟持部材とを備え、上記乾し物置き台の傾斜角調整の操作及び上記乾し物乾燥装置の上記被挟持部材への着脱を容易に行なえる乾し物乾燥装置を提供することを目的としている。
【０００６】
【課題を解決するための手段】
このため、請求項１記載の本発明の乾し物乾燥装置は、乾し物を載置する一対の乾し物置き台と、上記一対の乾し物置き台のうちのいずれか一方が他方に対してリクライニングできるように構成され上記一対の乾し物置き台の間に配設される少なくとも２個のリクライニング機構と、一端部に上記リクライニング機構の枢支部の固定側部材が取付けられ他端部が被挟持部材を挟持するように二又状に構成され着脱可能に取付けられる二又状挟持部材とを備えたことを特徴としている置。
【０００７】
請求項２記載の本発明の乾し物乾燥装置は、請求項１記載の構成において、上記リクライニング機構の上記枢支部の固定側部材に取付けられ下方に延設される上記二又状挟持部材に設けられた一対の二又状挟持部材片と、上記枢支部の固定側部材に取付けられる上記一対の乾し物置き台のうちのいずれか他方の被リクライニング乾し物置き台と、上記被リクライニング乾し物置き台に対して複数のリクライニング位置で保持できる上記一対のいずれか一方で形成されるリクライニング乾し物置き台とを備え、上記二又状挟持部材は、上記枢支部の固定側部材を上記一方の二又状挟持部材片と略平行に間隔を存して下方に曲げて延設させ、上記一方の二又状挟持部材片と協働して上記被挟持部材を挟持する上記二又状挟持部材の他方の二又状挟持部材片を有していることを特徴としている。
【０００８】
請求項３記載の本発明の乾し物乾燥装置は、請求項１又は２記載の構成において、上記他方の二又状挟持部材片の配設位置は上記被挟持部材の挟持幅に合わせて調整できるように構成したことを特徴としている。
請求項４記載の本発明の乾し物乾燥装置は、請求項１〜３のいずれか１項に記載の構成において、上記乾し物置き台から上記乾し物の脱落及び乾し物乾燥装置の被挟持部材からの脱落のうちの少なくともいずれか一方の脱落を防止する脱落防止手段をを備えたことを特徴としている。
【０００９】
【発明の実施形態】
以下、本発明の乾し物乾燥装置を布団乾しに適用した場合の一実施形態を示すもので、図１〜４について説明する。
図１は本発明の乾し物乾燥装置をベランダの手摺に適用した場合の布団を天日に照射している状態の斜視図を示す概略説明図、図２は乾し物乾燥装置の単体を示すもので、（Ａ）は図１の矢印２Ａの乾し物乾燥装置の側面図を示す概略説明図、（Ｂ）は図１の乾し物乾燥装置の斜視図を示す概略説明図、（Ｃ）は図１の乾し物乾燥装置の乾し物置き台の上面を示す概略説明図、図３は図２の一対の乾し物置き台と二又状挟持部材との関連側面構造を示す概略説明図、図４は図２の乾し物乾燥装置の乾し物置き台がリクライニングした状態の側面を示す概略斜視説明図である。
【００１０】
本実施形態の乾し物乾燥装置１は、図１，図２に示したように、布団，毛布等の寝具や衣服の、例えば乾し物である布団２を載置する一対の乾し物置き台４と、上記一対のそれぞれの乾し物置き台４ａ，４ｂのうちのいずれか一方が他方に対してリクライニングできるように構成され上記一対の乾し物置き台４ａ，４ｂの間に配設される少なくとも２個のリクライニング機構１６を有している。一端部が上記リクライニング機構１６の枢支部１７の固定側部材１６ａに取付けられ他端部が被挟持部材８を挟持する、例えばベランダの手摺１０や建造物を挟持するように二又状挟持部材１４ａ，１４ｂで構成され着脱可能に取付けられる二又状挟持部材１４を有している。
【００１１】
そして、二又状挟持部材１４は、図３，図４に示したように一端が上記リクライニング機構１６の上記枢支部１７の固定側部材１６ａであるケーシング１６ｃにボルト締結，リベット結合，溶接結合等により取付けられ下方に延設される上記二又状挟持部材片１４ａ，１４ｂのいずれか一方の、例えば二又状挟持部材片１４ａと、上記枢支部１７の固定側部材１６ａに取付けられる上記一対の乾し物置き台４ａ，４ｂのうちのいずれか他方の、例えば被リクライニング乾し物置き台４ｂと兼用の二又状挟持部材片１４ｂとにより構成されている。又、上記被リクライニング乾し物置き台４ｂに対して複数のリクライニング位置１８ａ〜１８ｅで保持できる上記一対のいずれか一方で形成されるリクライニング乾し物置き台４ａとを備えている。
【００１２】
上記リクライニング機構１６は、図２（Ｃ）に示したように固定側部材１６ａの枢支部１７に設けられた枢支軸１６ｓに乾し物置き台４ａの左右の骨格４ａｂの下端がケーシング１６ｃに設けられた軸受４ａｔを介して枢支されている。
上記二又状挟持部材１４の他方の二又状挟持部材片１４ｂは、図３，図４に示したように上記枢支部１７でもあるの固定側部材１６ａから延設され上記一方の二又状挟持部材片１４ａと略平行に間隔を存して下方に曲げられて延設させ、上記一方の二又状挟持部材片１４ａと協働して上記被挟持部材８であるベランダや建造物を挟持する上記二又状挟持部材１４の他方の二又状挟持部材片１４ｂと上記状挟持部材片１４ａとで構成されている。
【００１３】
次に、リクライニング機構１６と二又状挟持部材１４との取付基本構造について説明する。
図３に示したようにリクライニングが解除されたフリーの状態の上記一対の乾し物置き台４ａ，４ｂを、図３に二点鎖線で示したように枢支部１７の枢支軸１６ｓを中心として上方に乾し物置き台（通常使用されている座椅子のクッション側の座部）４ｂを、上下方向に略縦になる状態に枢支部１７より上方に配設する。この枢支部１７の枢支軸１６ｓに対して回動可能に上記略縦の状態に配設した乾し物置き台４ｂと略同一平面内にあるように乾し物置き台４ｂの下方に乾し物置き台４ａを配設する。
【００１４】
この配設により下方の乾し物置き台４ａは、枢支部１７の固定側部材１６ａに対して、図３に示したリクライニング位置１８ａ〜１８ｅへ枢支軸１６ｓを中心にリクライニングすることができる。又、上記のような構成で配設され、図３に二点鎖線で示したようにＬ字状継手５により、先ず略９０度曲げ、更に骨格４ｂｃを下方にほぼ９０度曲げ、上記一方の二又状挟持部材片１４ａと間隔を存して略平行に下方へ延設して上記二又状挟持部材片１４ａ，１４ｂで被挟持部材８である、例えばでベランダの手摺１０の幅ＷＯに調節して挟持させるように構成されている。
【００１５】
又、図３に示した枢支部１７の上方に配設した固定側部材１６ａである乾し物置き台４ｂの骨格４ｂｃは、これに限られるものではなく、図４に示したように枢支部１７から、図４において上記フリー状態におけるリクライニング角度０度の乾し物置き台４ａに対して略９０度の角度を呈する略水平方向の，図４における右側方向に突設するようにしてもよく、この骨格４ｂｃにＬ字状継手５を接続して下方に略９０度曲げて、上記の他方の二又状挟持部材片１４ｂを形成して、上記一方の二又挟持部材片１４ａと協働して挟持するようにしてもよく、この構成によれば全体がコンパクトに形成することができる。又本実施形態では上記の乾し物置き台４ｂの骨格４ｂｃは上記の他方の二又状挟持部材片１４ｂと兼用に構成されコンパクトに形成されている。
【００１６】
そして、Ｌ字状継手５の、（横の長さａｃｍ：縦の長ｂｃｍ）を、例えば（３ｃｍ：５ｃｍ）、（８ｃｍ：１２ｃｍ）、（１５ｃｍ：１８ｃｍ）、（２２ｃｍ：３０ｃｍ）のものを用意しておけば、上記の必要な挟持幅に応じて選定することができる。
そして、図４に示したように上記枢支部１７は被リクライニング部材の固定側部材１６ａに形成された枢支部１７のケーシング１６ｃの軸受４ａｔに支持された枢支軸１６ｓが設けられ、この枢支軸１６ｓに上記リクライニングする乾し物置き台４ａの骨格４ａｂの左右の端部が枢支軸１６ｓを介して軸受４ａｔに支持されている。
【００１７】
上記左右の枢支軸１６ｓは、図２（Ｃ）に示したように一本の軸で接続されているので乾し物置き台４ａの骨格４ａｂの強度部材にもなっている。
又、上記の二又状挟持部材片１４ａ，１４ｂの下方への長さは、上記幅方向の長さの長短の調整と同様の構成で長さの調整を行なうことができる。即ち、図３に示したように上記の被リクライニングの乾し物置き台４ｂの骨格４ｂｃと嵌合して上記挟持幅Ｗを調整するＬ字状継手５をボルトＢＴ１により締結し、挟持幅Ｗ１を決定している。そして更に長い挟持幅Ｗ２が必要な場合には、図３，図４に示したように上記の骨格４ｂｃに対してＬ字状継手５を上記のようにスライドして挟持幅Ｗ２まで広げてボルトＢＴ２により所望位置で締結するようにすれば、種々の上記建造物に合わせて取付けることができる。又、二又状挟持部材１４を更に長くして、他の被挟持部材にも挟持させるようにすれば，更に安定した保持力を得ることができる。
【００１８】
そして、本実施形態の場合には、二又状挟持部材１４を上記他方の二又状挟持部材片１４ｂと上記被リクライニングの乾し物置き台４ｂとが兼用されるように構成されているが、これは二又状挟持部材１４を別体で構成して、二又状挟持部材１４の上に上記のように上記リクライニング機構１６をボルト締結，溶接結合，リベット結合等により取付けるようにしてもよい。
【００１９】
又、上記乾し物置き台４から上記乾し物である布団２が脱落するのを防ぐゴムバンド等の帯体からなる脱落防止手段２８を備え、風などによる布団２の脱落を防止することができる。
又、図２（Ａ）に示したように上記の乾し物乾燥装置１の二又状挟持部材１４とベランダ８との当接する部位間の間にゴム，樹脂等からなる緩衝材３０を取付けておけば、上記のベランダ８と二又状挟持部材１４との当接部位の損傷の発生を防止することができる。又、図２（Ｃ）に示したように乾し物置き台４の左右又は上下方向のそれぞれの骨格４ａｂ，４ｂｃ間に橋架され上記布団２を支持するナイロン，ゴム製の複数本の脱落防止手段２８である布団支持帯３２が設けられている。
【００２０】
又、この布団支持帯３２を弾性紐３２Ａで構成し、図１に示したように乾し物置き台４ａ，二又状挟持部材１４ａ，１４ｂ，乾し物置き台４ｂ，布団２を一回りして上記布団２の表面側で交差して左右の両端を手摺１０の下を通過して乾し物置き台４ａ上の布団２と乾し物置き台４ａとを一回りさせ布団２を乾し物置き台４ａに支持し、上記弾性紐３２Ａの両端に設けられたフック３２Ａｈで布団２の表面側で係合して布団２及び乾し物置き台４ａ，４ｂと共にベランダ８に支持するようにすれば、布団２及び乾し物乾燥装置１の脱落を防止することができる。
【００２１】
又、上記乾し物乾燥装置１は、図２（Ａ），図３，図４示したように不使用時には乾し物乾燥装置１の乾し物置き台４ａをリクライニング機構１６の枢支軸１６ｓを中心に回動し、リクライニング位置１８ａにコンパクトに折り畳み、上記の二又状挟持部材片１４ａ，１４ｂと協働して立脚状態にして格納しておくことができる。
【００２２】
本実施形態は上記のように構成されているので、上記乾し物乾燥装置１の二又状挟持部材１４を、図１に示したように被挟持部材８であるベランダの手摺１０に挟持させ、例えば上記の布団２を布団置き台４ａ，４ｂに載置して、図１に示したように、例えばゴム，樹脂製のバンドからなる脱落防止手段２８を取付ける。この時、二又状挟持部材１４と布団２は共に上記ベランダの手摺１０，格子１０ａ等のベランダ本体に保持されるので、布団２の脱落防止と二又状挟持部材１４の上記ベランダからの外れるのを防止することができる。
【００２３】
又、ベランダ８の外側の布団乾燥装置１の布団置き台４ｂは太陽がでていれば一日中でも日照を受けるが、ベランダ８の内側（家屋側）は太陽の上昇位置の日照角度に応じて、図２（Ｂ），図３に示したリクライニング位置１８ａ〜１８ｅに上記リクライニング機構１６により布団置き台４ａの骨格４ａｂをもって簡単に布団置き台４ａの角度を変えて布団２の日照が効果的に受けられるようにすることができるので、布団乾燥の効率を大きく向上させることができる。
【００２４】
そして、布団２の乾燥後は、図３，図４に示したように乾し物置き台４ａのリクライニング位置をカチンと音がでるところのリクライニングの解除位置１８ｆまで移動させ上記リクライニング状態を解除すると、一般に使用されているリクライニング付座椅子のリクライニング機構と同様にフリー状態となり、乾し物置き台４ａを下方に枢支軸１６ｓを中心に回動させて下げ、図２（Ｂ），図３に示したようにリクライニング角度０度のリクライニング位置１８ａの格納状態に戻すことができ、家屋内に収納にも便利である。
【００２５】
このリクライニング解除位置のリクライニング０度の位置から枢支軸１６ｓを中心に時計回転方向に回動していくと、例えばリクライニング位置１８ｂ〜１８ｅの各々の位置で、ぞれぞれのリクライニング位置を保持し、図３に示した反時計回転方向の力に対向して、その上記それぞれの位置を保持し布団の乾燥を行なうことができる。
【００２６】
上記二又状挟持部材が挟持する被挟持部材８は上記の屋根，ベランダに限られるものではなく、例えば鉄棒，ブランコ等のような挟持して上記乾し物置き台４を支持できるものであればよい。
【００２７】
【発明の効果】
以上詳述したように、請求項１記載の本発明の乾し物乾燥装置によれば、乾し物を載置する一対の乾し物置き台と、上記一対の乾し物置き台のうちのいずれか一方が他方に対してリクライニングできるように構成され上記一対の乾し物置き台の間に配設される少なくとも２個のリクライニング機構と、一端部に上記リクライニング機構の枢支部の固定側部材が取付けられ他端部が被挟持部材を挟持するように二又状に構成され着脱可能に取付けられる二又状挟持部材とを備えているので、上記の乾し物乾燥装置の二又状挟持部材を、上記のベランダの手摺に挟持させ、例えば上記の布団を布団置き台に載置して、ゴム，樹脂製のバンドからなる脱落防止手段を取付ければ、上記の二又状挟持部材と布団は共に上記ベランダの手摺，格子等のベランダ本体に保持され、上記布団の脱落防止と上記二又状挟持部材のベランダからの外れるのを防止することができる。
【００２９】
請求項２記載の本発明の乾し物乾燥装置によれば、請求項１記載の構成において、上記リクライニング機構の上記枢支部の固定側部材に取付けられ下方に延設される上記二又状挟持部材に設けられた一対の二又状挟持部材片と、上記枢支部の固定側部材に取付けられる上記一対の乾し物置き台のうちのいずれか他方の被リクライニング乾し物置き台と、上記被リクライニング乾し物置き台に対して複数のリクライニング位置で保持できる上記一対のいずれか一方で形成されるリクライニング乾し物置き台とを備え、上記二又状挟持部材は、上記枢支部の固定側部材を上記一方の二又状挟持部材片と略平行に間隔を存して下方に曲げて延設させ、上記一方の二又状挟持部材片と協働して上記被挟持部材を挟持する上記二又状挟持部材の他方の二又状挟持部材片を有しているので、請求項１の効果に加え、上記ベランダの外側の布団乾燥装置の布団置き台は、太陽がでていれば一日中でも日照を受けるが、上記ベランダの内側（家屋側）は太陽の上昇位置の日照角度に応じて、複数箇所のリクライニング位置に上記リクライニング機構により上記布団置き台の骨格をもって簡単に上記布団置き台の角度を変えて上記布団の日照が効果的に受けられるようにすることができるので、上記布団乾燥の効率を大きく向上することができる。
又、上記二又状挟持部材により簡単に上記ベランダ等の建造物に挟持して上記乾し物乾燥装置を容易に使用することができる。
【００３０】
請求項３記載の本発明の乾し物乾燥装置によれば、請求項１又は２記載の構成において、上記他方の二又状挟持部材片の配設位置は上記被挟持部材の挟持幅に合わせて調整できるように構成したので、請求項１又は２の効果に加え、上記の二又状挟持部材の挟持幅は、上記他方の二又状挟持部材片は上記ベランダの手摺や建造物の被挟持部材の幅に合わせて上記被ライニング乾し物置き台と上記他方の二又状挟持部材片とをスライド可能に嵌合させ、その嵌合代を調整して挟持幅を調整できるように構成されており、上記手摺幅の異なるベランダに対して対応することができ、汎用性があり便利である。
【００３１】
又、上記の被リクライニング乾し物置き台の骨格と嵌合して上記挟持幅を調整するＬ字状継手をボルトにより締結し、上記挟持幅を容易に決定することができる。そして更に長い挟持幅を必要な場合には、上記の骨格に対して上記Ｌ字状継手を上記のようにスライドして上記と相違する挟持幅まで広げ、例えばボルトにより所望位置で締結するようにすれば、種々の建造物に合わせて取付けることができる。
【００３２】
請求項４記載の本発明の乾し物乾燥装置によれば、請求項１〜３のいずれかに記載の構成において、上記乾し物置き台から上記乾し物の脱落及び乾し物乾燥装置の被挟持部材からの脱落のうちの少なくとのいずれか一方の脱落を防止する脱落防止手段をを備えているので、請求項１〜３のいずれかの効果に加え、上記の乾し物の脱落防止と二又状挟持部材のベランダからの外れることも防止することができる。
【図面の簡単な説明】
【図１】本発明の乾し物乾燥装置をベランダの手摺に適用した場合の布団を天日に照射している状態の一実施形態の斜視図を示す概略説明図である。
【図２】図１の乾し物乾燥装置の単体を示すもので、（Ａ）は図１の矢印２Ａの乾し物乾燥装置の側面図を示す概略説明図、（Ｂ）は図１の乾し物乾燥装置の単体の斜視図を示す概略説明図、（Ｃ）は図１の乾し物乾燥装置の乾し物置き台の主要部の上面を示す概略説明図である。
【図３】図２の一対の乾し物置き台と二又状挟持部材の関連側面構造を示す概略説明図である。
【図４】図２の乾し物乾燥装置の乾し物置き台がリクライニングした状態の側面構成の主要部を示す概略斜視説明図である。
【符号の説明】
１                    乾し物乾燥装置
２                    布団
４                    乾し物置き台
４ａ，４ｂ              一対の乾し物置き台
４ａｂ                乾し物置き台４ａの骨格
４ａｔ                軸受
４ｂｃ                乾し物置き台４ｂの骨格
５                    Ｌ字状継手
８                    被挟持部材
１０                  ベランダの手摺
１４                  二又状挟持部材
１４ａ                一方の二又状挟持部材片
１４ｂ                他方の二又状挟持部材片
１６                  リクライニング機構
１６ａ                固定側部材
１６ｃ                ケーシング
１７                  枢支部
１８ａ〜１８ｅ        リクライニング位置
１８ｆ                リクライニング解除位置
２８                  脱落防止手段
３２                  布団支持帯
３２Ａ                弾性紐
【図１】
0003573741.tif 000002
【図２】
0003573741.tif 000003
【図３】
0003573741.tif 000004
【図４】
0003573741.tif 000005